(57)【要約】      （修正有）【課題】ＩＤ情報記憶素子を保持する素子保持部と結合具が着脱可能なＩＤ情報記憶素子ホルダーを提供する。【解決手段】ＩＤ情報記憶素子を収納する連結部材１ａが取り付けられた素子保持部２と、連結部材１ｂが取り付けられた結合具３とからなるＩＤ情報記憶素子ホルダーであって、素子保持部２につけられた連結部材１ａと結合具３に取り付けられた連結部材１ｂの少なくとも一方が磁石を含み、他方が磁石または強磁性体を含むことにより、素子保持部２と結合具３とを磁力によって着脱可能に連結する。これにより、ＩＤ情報記憶素子を読み取り機に近づける動作を行いやすく、かつＩＤ情報記憶素子を読み取り機に近づける動作を繰り返しても摩擦による破損などで機能性を損なうことがない。【選択図】図１
2017200546.tif 000002
【特許請求の範囲】
【請求項１】
ＩＤ情報記憶素子を保持するための素子保持部であって、第１連結部材を有する素子保持部と、第２連結部材を有する結合具とからなるＩＤ情報記憶素子ホルダーであって、前記第１連結部材と前記第２連結部材とは、少なくとも一方が磁石を含み、他方が磁石または強磁性体を含み、前記素子保持部と前記結合具とを磁力によって着脱可能に連結する、ＩＤ情報記憶素子ホルダー。
【請求項２】
前記結合具がさらにストラップを有する、請求項１に記載のＩＤ情報記憶素子ホルダー。
【請求項３】
前記結合具がさらにクリップを有する、請求項１又は請求項２に記載のＩＤ情報素子ホルダー。
【請求項４】
前記素子保持部が、カード形状の前記ＩＤ情報記憶素子を保持する、請求項１から請求項３のいずれか一項に記載のＩＤ情報記憶素子ホルダー。
【請求項５】
前記素子保持部が、前記ＩＤ情報記憶素子を収容するための保持部本体と、前記保持部本体に着脱可能に取り付けられる連結バンドとを有し、前記第１連結部材が前記連結バンドに結合される、請求項１乃至請求項４に記載のＩＤ情報記憶素子ホルダー。
【請求項６】
請求項５のＩＤ情報記憶素子ホルダーに用いられる、前記連結バンドと前記結合具との組み合わせからなる連結部品。
【請求項７】
前記磁石の少なくとも一部が強磁性体で覆われる請求項１から５のいずれか一項に記載のＩＤ情報記憶素子ホルダー。
【発明の詳細な説明】
【技術分野】
【０００１】  この発明は、ＩＤ情報記憶素子を保持するＩＤ情報記憶素子ホルダーに関する。
【背景技術】
【０００２】  近年、非接触ＩＣチップとアンテナが埋め込まれたＩＤ情報記憶素子が広く普及している。
ＩＤ情報記憶素子は、主にカード形状にして社員証や定期券などに広く利用されている。このＩＤ情報記憶素子は、入退場ゲートや打刻機に接続された読み取り機でＩＤ情報記憶素子の情報を読み取らせることで、入退場者の管理やタイムカードへの打刻などに利用される。非接触ＩＣチップによる通信は、アンテナで受けた読み取り機からの電波を非接触ＩＣチップの動作電力として利用するため、ＩＤ情報記憶素子を読み取り機に十分近づける必要がある。【０００３】ＩＤ情報記憶素子を読み取り機に近づけやすくするため、伸縮可能なコードを収納したリールをストラップやクリップに取り付け、そのリールから繰り出されるコードの先端にＩＤ情報記憶素子を保持するカードケースを取り付けるようにしたＩＤ情報記憶素子ホルダーが利用されている。
【先行技術文献】
【特許文献】
【０００４】
【特許文献１】特開２００５−１５２５１１号公報
【発明の概要】
【発明が解決しようとする課題】
【０００５】  上記したＩＤ情報記憶素子ホルダーはカードケースを引っ張るとコードが繰り出されるので、ＩＤ情報記憶素子を読み取り機に近づけることができ、読み取り後はコードが巻き取られて収納されるので、ＩＤ情報記憶素子ホルダーを装着した体や荷物を読み取り機に近づけることなくＩＤ情報記憶素子の読み取りを行わせることができるという利点がある。しかし、カードケースを引っ張ってコードを伸ばしたり、当該コードをリールに巻き取らせたりすることを繰り返すと、コードとリールの引き出し口との間に摩擦が生じるためにコードが切断され、その機能を損なうという事態が生じていた。【０００６】  本発明は、このような問題点に鑑みてなされたものであり、その目的として、ＩＤ情報記憶素子をＩＤ情報記憶素子ホルダーに入れたまま読み取り機に近づける動作が行いやすく、かつＩＤ情報記憶素子を読み取り機に近づける動作を繰り返してもその機能性を失わないＩＤ情報記憶素子ホルダーを提供することにある。
【課題を解決するための手段】
【０００７】  上記の目的を達成するため、本発明のＩＤ情報記憶素子ホルダーは、素子保持部と、素子保持部をストラップに取り付けるための結合具とを有し、双方に連結部材を取り付けて、少なくとも一方の連結部材に磁石を含み、他方を磁石または強磁性体を含むことで、磁力によって結合具と素子保持部とを着脱可能に連結することを特徴とする。さらに、素子保持部本体に磁石または強磁性体を取り付けるのではなく、素子保持部に取り付けられた連結バンドに連結部材を取り付ける形態としてもよい。【０００８】上記のＩＤ情報記憶素子ホルダーにおいて、結合具にクリップや安全ピンなどを設け、衣服や荷物に結合具を保持できる形態としても良い。【０００９】上記の連結部材は、磁石や強磁性体で構成される他に、磁石の連結面以外の面を強磁性体で覆う構造の形態としても良い。
【発明の効果】
【００１０】  本発明のＩＤ情報記憶素子ホルダーは、磁力によって結合具と素子保持部とを着脱可能としたことを特徴としており、ＩＤ情報記憶素子を読み取らせるためには、素子保持部を引っ張れば素子保持部が結合具から外れるため読み取り機に近づけやすく、読み取り後は素子保持部を結合具に近づければ磁力によって引き合うため、結合部分を目視しなくても簡単に連結させることができる。【００１１】  さらに本発明においては、素子保持部を読み取り機に近づけやすくする機能の実現に伸縮可能なコードを使用しないため、摩擦によるコードの切断は生じず、何度読み取り機に素子保持部を近づけてもその機能性を失うことがない。【００１２】  請求項２の発明によると、結合具にストラップを取り付けることにより、ＩＤ情報記憶素子ホルダーを体や荷物に留めることができる。【００１３】  請求項３の発明によると、結合具にクリップや安全ピンを設けることにより、結合具を衣服や荷物にくくりつけることが可能であり、ＩＤ情報記憶素子の保持手段が増える。【００１４】  前述のようにＩＤ情報記憶素子はカード形状であることが多く、請求項４の発明によれば、そのような形状のＩＤ情報記憶素子を保持することができる。【００１５】  請求項５の発明によると、素子保持部に連結バンドを取り付け、連結バンドに連結部材を持たせる構造にすることで、例えば素子保持部の破損によっても連結バンドを外して素子保持部だけを交換して使用することができる。【００１６】  さらに請求項６の発明によると、連結バンドを取り付けるための構造を持つ既存のカードケースに対し、本発明の連結バンドと結合具からなる連結部品を取り付け直す事により、既存のカードケースに対しても上記の効果を得ることができる。【００１７】  本発明では、素子保持部と結合具との連結に磁石の磁力を使用しているが、磁力によって周囲の金属物が付着したり、磁気カードを近づけて磁気テープ部分に記録された情報を消す恐れがある。請求項７の発明によると、磁石の連結面以外の面を強磁性体で覆うことにより、磁石から発生する磁力線の大部分が強磁性体内を通るため、カードケースと結合具との連結以外への磁力の影響を低減することができる。
【図面の簡単な説明】
【００１８】
【図１】本発明のＩＤ情報記憶素子ホルダーの一例を示す正面図と、連結部材を取り外した状態の側面図を示す。
【図２】本発明のＩＤ情報記憶素子ホルダーにストラップとカード形状のＩＤ情報記憶素子を装着した使用例を示す図である。
【図３】結合具がクリップを有する実施の形態を示す図である。
【図４】本発明のＩＤ情報記憶素子ホルダーの第２の実施の形態の一例を示す正面図と連結部材を取り外した状態の側面図である。
【図５】連結バントと結合具の組み合わせからなる連結部品を示す図である。
【図６】連結部材の構造を示す図である。
【発明を実施するための形態】
【００１９】  第１の実施の形態のＩＤ情報記憶素子ホルダーは、図１に示すように、第１連結部材１ａを取り付けられた素子保持部２と、第２連結部材１ｂを持つ結合具３からなる。第１連結部材１ａと第２連結部材１ｂは少なくともどちらか一方は磁石を含み、他方は磁石または強磁性体を含み、その磁力によって着脱可能に連結される。
【００２０】  結合具３は、第２連結部材１ｂを含み、図２の使用例の様に、ストラップ１０などを通して使用する。素子保持部２に取り付けられた第１連結部材１ａと結合具３の第２連結部材１ｂとの磁力による結合を確かにするため、結合具３はプラスチックなどの非磁性体で成型される。
【００２１】  このＩＤ情報記憶素子ホルダーは、素子保持部２の中にＩＤ情報記憶素子１１を入れて使用する。ＩＤ情報記憶素子１１による通信は読み取り機のアンテナから発生する電波によって行われ、この通信を阻害しないために、素子保持部２はプラスチックなどの非金属で成型される。また、ＩＤ情報記憶素子１１は社員証などの身分証明書として使われる場合があるため、素子保持部２は少なくとも一部が透明な部材で構成されている場合がある。
【００２２】  ＩＤ情報記憶素子１１を読み取り機で読み取らせる時に、ストラップ１０でＩＤ情報記憶素子ホルダーを保持した状態で素子保持部２を引っ張ると、磁力で結合されていた素子保持部２と結合具３とが分離するので、ＩＤ情報記憶素子１１を読み取り機に近づけることができる。読み取り後は、素子保持部２に取り付けられた第１連結部材１ａを結合具３に取り付けられた第２連結部材１ｂに近づけると、磁力が作用して素子保持部２と結合具３が連結する。
【００２３】  図３に記載の実施の形態では、結合具３にクリップ４が取り付けられている。クリップ４を例えば衣服の胸ポケットに挟んで保持することで、ＩＤ情報記憶素子ホルダーを衣服に装着し、本発明の素子保持部２と結合具３との着脱可能に連結する機能を利用することが可能性になる。
【００２４】  また、本発明の第２の実施の形態によれば、図４に示すように、素子保持部２に連結バンド５を取り付け、連結バンド５に第１連結部材１ａを持たせる構造にしても良い。
このような構造にする事により、素子保持部２の破損などによっても、連結バンド５を外して素子保持部２だけを交換して使用することができる。さらに、図４の素子保持部と同様の構造になっている既存のカードケースを流用して、図５に示す連結バンドと結合具との組み合わせからなる連結部品を取り付ければ、同様の機能を提供することができる。
【００２５】  本発明の実施の形態によれば、第１連結部材１ａまたは第２連結部材１ｂの一方或いは両方とも、図６に示す連結部材１のような構造、すなわち磁石６の連結面以外を強磁性体７で覆うとしても良い。このような構造をとることにより、磁石６から発生する磁力線の大部分が強磁性体７内を通るため、素子保持部２と結合具３との連結以外への磁力の影響を低減することができる。
【００２６】  以上、具体例を挙げて本発明を説明したが、本発明によるＩＤ情報記憶素子ホルダーは、上記の例に限定されるものではない。例えば、本発明のＩＤ情報記憶素子として、上記実施の形態ではＩＤカードを一例として示したが、他の形状（例えば円盤状、スティック状、その他の任意の形状）であってもよい。
【符号の説明】
【００２７】１  連結部材
１ａ  第１連結部材
１ｂ  第２連結部材
２  素子保持部
３  結合具
４  クリップ
５  連結バンド
６  磁石
７  強磁性体
１０  ストラップ
１１  ＩＤ情報記憶素子
【図１】
2017200546.tif 000003
【図２】
2017200546.tif 000004
【図３】
2017200546.tif 000005
【図４】
2017200546.tif 000006
【図５】
2017200546.tif 000007
【図６】
2017200546.tif 000008